(57)【特許請求の範囲】
【請求項１】
画像信号に基づき、複数の色材の少なくとも一つの量又は濃度を調整することにより所定の色を生成する画像処理装置において、
画像信号に対応する色信号値を記憶したＬＵＴを含む記憶手段と、
前記ＬＵＴの色信号値を階調変換する階調変換手段と、
前記階調変換手段によって求められた階調変換後のＬＵＴと、
前記階調変換後のＬＵＴを用いて求められた前記画像信号に対応する色信号値に対して、前記階調変換の逆変換処理する逆階調変換手段と、
前記逆階調変換手段によって変換された色信号値に基づいて、前記色材の量又は濃度を決定する決定手段と、を有することを特徴とする画像処理装置。
【請求項２】
前記複数の色材とは、シアン・マゼンタ・イエロー又は赤・緑・青と、それ以外の色とを含むことを特徴とする請求項１に記載の画像処理装置。
【請求項３】
前記階調変換後のＬＵＴは、前記階調変換した値を用いて補間演算する演算手段を含むことを特徴とする請求項１又は２に記載の画像処理装置。
【請求項４】
前記ＬＵＴの色信号値を前記階調変換する際に、前記色信号値を記憶するビットの数を増大させることを特徴とする請求項３に記載の画像処理装置。
【請求項５】
前記演算手段は、１回の乗算で複数の色に関する処理を行うことを特徴とする請求項３又は４に記載の画像処理装置。
【請求項６】
画像信号に基づき、複数の色材の少なくとも一つの量又は濃度を調整することにより所定の色を生成する画像処理装置において、
画像信号に対応する色信号値を記憶したＬＵＴを含む記憶手段と、
前記ＬＵＴの色信号値を階調変換する階調変換手段と、
前記階調変換手段によって階調変換された前記色信号値を平均化する平均化手段と、
前記平均化手段によって平均化された前記色信号値に対して、前記階調変換の逆変換処理する逆階調変換手段と、
前記逆階調変換処理後のＬＵＴを用いて求められた前記画像信号に対応する色信号値に基づいて、前記色材の量又は濃度を決定する決定手段と、を有することを特徴とする画像処理装置。
【請求項７】
前記複数の色材とは、シアン・マゼンタ・イエロー又は赤・緑・青と、それ以外の色とを含むことを特徴とする請求項６に記載の画像処理装置。
【請求項８】
前記ＬＵＴの色信号値を補間演算する演算手段を含むことを特徴とする請求項６又は７に記載の画像処理装置。
【請求項９】
画像信号に基づき、複数の色材の少なくとも一つの量又は濃度を調整することにより所定の色を生成する色調整方法において、
画像信号に対応する色信号値を記憶したＬＵＴを生成し、
前記ＬＵＴの色信号値を階調変換することによって階調変換後のＬＵＴを生成し、
前記画像信号に対応する色信号値を前記階調変換後のＬＵＴを用いて求め、
前記求められた色信号値に対して前記階調変換の逆変換し、
前記逆変換された色信号値に基づいて、前記色材の量又は濃度を決定することを特徴とする色調整方法。
【請求項１０】
前記複数の色材とは、シアン・マゼンタ・イエロー又は赤・緑・青と、それ以外の色とを含むことを特徴とする請求項９に記載の色調整方法。
【請求項１１】
前記階調変換後のＬＵＴにおいて、前記階調変換した値を用いて補間演算することを特徴とする請求項９又は１０に記載の色調整方法。
【請求項１２】
前記ＬＵＴの色信号値を前記階調変換する際に、前記色信号値を記憶するビットの数を増大させることを特徴とする請求項１１に記載の色調整方法。
【請求項１３】
１回の乗算で複数の色に関する処理を行うことを特徴とする請求項１１又は１２に記載の色調整方法。
【請求項１４】
画像信号に基づき、複数の色材の少なくとも一つの量又は濃度を調整することにより所定の色を生成する色調整方法において、
画像信号に対応する色信号値を記憶したＬＵＴを生成し、
前記ＬＵＴの色信号値を、階調変換し、前記階調変換された前記色信号値を平均化し、前記平均化された前記色信号値に対して前記階調変換の逆変換処理することによって前記逆変換処理後のＬＵＴを生成し、
前記画像信号に対応する色信号値を、前記生成された逆階調変換処理後のＬＵＴを用いて求め、前記求められた色信号値に基づいて、前記色材の量又は濃度を決定することを特徴とする色調整方法。
【請求項１５】
前記複数の色材とは、シアン・マゼンタ・イエロー又は赤・緑・青と、それ以外の色とを含むことを特徴とする請求項１４に記載の色調整方法。
【請求項１６】
前記ＬＵＴの色信号値を補間演算することを特徴とする請求項１４又は１５に記載の色調整方法。
【発明の詳細な説明】
【０００１】
【産業上の利用分野】
本発明は、画像処理装置及び色調整方法に関し、特に、３原色に対して異なる色を加えた４色以上の色材を混合することによって、所定の色を形成することができる画像処理装置及び色調整方法に関する。
【０００２】
【従来の技術】
例えばインクジェットプリンタなどにおいて、３原色のインクを混合することで、種々の色を生成できることが知られている。ところが、実際的には、例えばシアンとマゼンタのインクを混合することによりブルーの色を得ることができるものの、それは純粋なブルーに比して、よりくすんだ色となる。
【０００３】
そこで、３原色に加えて異なる色（以下、特色と称する）のインクを用いることで、より鮮やかな混合色を表現する技術が開発されている。しかるに、このように、特色を含む４色以上のインクを用いて色を調整する場合、例えば同一色であっても、複数通りのインクの組み合わせで実現することができるため、画像信号に対するインクの混合比の決定は、３原色を用いる場合に比べて、より複雑となる。
【０００４】
特開平５３−１２３２０１号公報においては、画像信号に対する色信号（インクの量に対応する）を多次元のＬＵＴの形式で保持し、ＬＵＴに含まれないデータに関しては、４点の格子点データを用いて補間演算し、色信号を求める計算を行う技術が開示されている。かかる補間演算によれば、ＬＵＴを用いることで、保有すべきデータ量が小さくて済むという利点がある。尚、格子点データは、４点でなく、５，６，８点データを用いて行うこともできる。
【０００５】
一方、高彩度色、いわゆる特色の色材を用いたプリンタの色再現方法については、本発明者により、「４色以上の色材を用いた測色的色表現」（カラーフォーラム  Ｊａｐａｎ  ’９９  ｐｐ．１０７−１１０（１９９９））において提案されている。また、これらの手法の関係は、本発明者により、「Ｐｏ−Ｃｈｉｅｈ  Ｈｕｎｇ、Ｃｏｌｏｒｉｍｅｔｒｉｃ  Ｃｈａｒａｃｔｅｒｉｚａｔｉｏｎｂｅｙｏｎｄ  Ｔｈｒｅｅ  Ｃｏｌｏｒａｎｔｓ」（Ｅｌｅｃｔｒｏｎｉｃ  Ｉｍａｇｉｎｇ  Ｃｏｎｆｅｒｅｎｃｅ，  ＳＰＩＥ  ＰｒｏｃｅｅｄｉｎｇｓＶｏｌ．３９６３  ｐｐ．１９６−２０７（２０００））に示されている。
【０００６】
【発明が解決するための課題】
ところで、上述したようにＬＵＴの値と補間演算とで色信号を決定する特色の色材を用いたプリンタにおいて、疑似輪郭が発生しやすいことが判明した。疑似輪郭とは、例えばある色から別な色までグラデーション的に色を変化させていったときに、局所的に色が急激に濃く或いは薄く変化する現象をいい、人間の目で見て明確に判るため画質を損ねるものである。尚、かかる疑似輪郭は、特色ではない黒色を含む４色プリンタでも発生しうる。
【０００７】
疑似輪郭が発生する理由としては、以下のことが考えられる。すなわち、上述したように特色を用いて色表現を行う場合、グラデーション的に色を変化させるのに、二色の混合比を漸次的に変化させて行う場合には、通常、疑似輪郭は発生しない。ところが、グラデーション的に色を変化させていく間に、ある色の組み合わせから、別な色の組み合わせに切り変わるポイントが生じた場合、かかるポイントの部分で疑似輪郭が発生することがある。
【０００８】
このような疑似輪郭を抑止するためには、例えばＬＵＴの格子点の数を多く設定し、補間演算の補間誤差を少なくすることが考えられる。しかしながら、ＬＵＴの格子点を多くすると、その分保有すべきデータ量が増大するため、大メモリ容量の確保などの問題が生じる。
【０００９】
本発明は、かかる従来技術の問題に鑑み、疑似輪郭の発生を効果的に抑制できる画像処理装置及び色調整方法を提供することを目的とする。
【００１０】
第１の本発明の画像処理装置は、画像信号に基づき、複数の色材の少なくとも一つの量又は濃度を調整することにより所定の色を生成する画像処理装置において、画像信号に対応する色信号値を記憶したＬＵＴを含む記憶手段と、前記ＬＵＴの色信号値を階調変換する階調変換手段と、前記階調変換手段によって求められた階調変換後のＬＵＴと、前記階調変換後のＬＵＴを用いて求められた前記画像信号に対応する色信号値に対して、前記階調変換の逆変換処理する逆階調変換手段と、前記逆階調変換手段によって変換された色信号値に基づいて、前記色材の量又は濃度を決定する決定手段と、を有することを特徴とする。
【００１１】
第２の本発明の画像処理装置は、画像信号に基づき、複数の色材の少なくとも一つの量又は濃度を調整することにより所定の色を生成する画像処理装置において、画像信号に対応する色信号値を記憶したＬＵＴを含む記憶手段と、前記ＬＵＴの色信号値を階調変換する階調変換手段と、前記階調変換手段によって階調変換された前記色信号値を平均化する平均化手段と、前記平均化手段によって平均化された前記色信号値に対して、前記階調変換の逆変換処理する逆階調変換手段と、前記逆階調変換処理後のＬＵＴを用いて求められた前記画像信号に対応する色信号値に基づいて、前記色材の量又は濃度を決定する決定手段と、を有することを特徴とする。
【００１２】
第３の本発明の色調整方法は、画像信号に基づき、複数の色材の少なくとも一つの量又は濃度を調整することにより所定の色を生成する色調整方法において、画像信号に対応する色信号値を記憶したＬＵＴを生成し、前記ＬＵＴの色信号値を階調変換することによって階調変換後のＬＵＴを生成し、前記画像信号に対応する色信号値を前記階調変換後のＬＵＴを用いて求め、前記求められた色信号値に対して前記階調変換の逆変換し、前記逆変換された色信号値に基づいて、前記色材の量又は濃度を決定することを特徴とする。
【００１３】
第４の本発明の色調整方法は、画像信号に基づき、複数の色材の少なくとも一つの量又は濃度を調整することにより所定の色を生成する色調整方法において、画像信号に対応する色信号値を記憶したＬＵＴを生成し、前記ＬＵＴの色信号値を、階調変換し、前記階調変換された前記色信号値を平均化し、前記平均化された前記色信号値に対して前記階調変換の逆変換処理することによって前記逆変換処理後のＬＵＴを生成し、前記画像信号に対応する色信号値を、前記生成された逆階調変換処理後のＬＵＴを用いて求め、前記求められた色信号値に基づいて、前記色材の量又は濃度を決定することを特徴とする。
【００１４】
【作用】
第１の本発明の画像処理装置は、画像信号に基づき、複数の色材の少なくとも一つの量又は濃度を調整することにより所定の色を生成する画像処理装置において、画像信号に対応する色信号値を記憶したＬＵＴを含む記憶手段と、前記ＬＵＴの色信号値を階調変換する階調変換手段と、前記階調変換手段によって求められた階調変換後のＬＵＴと、前記階調変換後のＬＵＴを用いて求められた前記画像信号に対応する色信号値に対して、前記階調変換の逆変換処理する逆階調変換手段と、前記逆階調変換手段によって変換された色信号値に基づいて、前記色材の量又は濃度を決定する決定手段と、を有するので、たとえ複数の色材を用いてグラデーション的に色を変化させる場合でも色が滑らかに移り変わるようにすることができ、疑似輪郭の発生を抑止できる。尚、色材の量の調整とは、例えば印刷ドットの面積や数を増減させることを含み、面積や数をゼロにする場合も含む。
【００１５】
本発明の作用効果についてより詳細に説明する。まず、特色のインクを用いたプリンタを例に取ると、各色１次元の階調色変換テーブル（すなわちＬＵＴ）を誤差拡散処理内に有しており、かかるＬＵＴは、均等色空間内にほぼリニアになるように調整されている。この調整は、モノクロであるならば、Ｌ*軸にリニアとなるものであり、それにより視覚的に効率的な量子化を行えるようになっている。
【００１６】
図１は、特色プリンタの１例であるＫＹＭＣＶＲＯ（黒、黄、マゼンタ、シアン、バイオレット、赤、オレンジ）の７色インクジェットプリンタにおける、黒（左）から赤（右）にかけてのグラデーション的色の変化における各色インクの量（色信号）の関係を示したものである。図１に示すように、黒と赤以外のインクを用いることで、より鮮やかな色彩の画像が形成できる。
【００１７】
しかるに、ＬＵＴの格子点は３２個であり、その間は補間演算によりリニアに接続されているので、例えば図１の格子点２３と２４との間で、赤Ｒが急激に減少し、マゼンタＭが急激に増大しており、そのクロスポイントは理想の色信号値よりも低い値になり、このような場合に、疑似輪郭が発生しやすくなる。
【００１８】
このような問題を解決する一つの手法は、ＬＵＴの格子点の値を、別な特性の階調曲線に関する所定の関数で変換し、画像信号を、変換後のＬＵＴの値を補間演算することで色信号に変換し、変換された色信号を逆の関数で変換することにより、目的の色信号を得るものである。それにより、図１における格子点間を滑らかに結ぶごとき特性を得ることができる。尚、所定の関数とは、べき乗関数や指数関数のようなもの、或いは曲線や直線の組み合わせ、さらにＬＵＴなどで所定値に変換するものなども含む。
【００１９】
更に、前記複数の色材とは、シアン・マゼンタ・イエロー又は赤・緑・青と、それ以外の色とを含むと好ましい。それ以外の色には、たとえば黒も含まれる。
【００２０】
又、前記階調変換後のＬＵＴは、前記階調変換した値を用いて補間演算する演算手段を含むと、ＬＵＴの格子間隔を小さくすることなく、任意の画像信号を変換できるので好ましい。
【００２１】
更に、前記ＬＵＴの色信号値を前記階調変換する際に、前記色信号値を記憶するビットの数を増大させることで、ビット落ちを防止して、より高精度な処理を行うことができる。
【００２２】
又、前記演算手段は、１回の乗算で複数の色に関する処理を行うと、処理の効率化が図れるので好ましい。
【００２３】
第２の本発明の画像処理装置は、画像信号に基づき、複数の色材の少なくとも一つの量又は濃度を調整することにより所定の色を生成する画像処理装置において、画像信号に対応する色信号値を記憶したＬＵＴを含む記憶手段と、前記ＬＵＴの色信号値を階調変換する階調変換手段と、前記階調変換手段によって階調変換された前記色信号値を平均化する平均化手段と、前記平均化手段によって平均化された前記色信号値に対して、前記階調変換の逆変換処理する逆階調変換手段と、前記逆階調変換処理後のＬＵＴを用いて求められた前記画像信号に対応する色信号値に基づいて、前記色材の量又は濃度を決定する決定手段と、を有することを特徴とするので、演算処理を効率よく行えるにも関わらず、たとえ複数の色材を用いてグラデーション的に色を変化させる場合でも色が滑らかに移り変わるようにすることができ、疑似輪郭の発生を抑止できる。
【００２４】
本発明の作用効果についてより詳細に説明する。第１の本発明に基づく処理態様によれば、補間演算において階調特性変換処理が含まれるため、演算速度が低下したり、回路規模が大きくなるなどの問題がある。そこで、本発明においては、前記ＬＵＴの色信号値を、階調変換して平均化処理することで、処理の高速化を達成している。
【００２５】
ここで、ＬＵＴの値を平均化処理することは知られている。ところが、ＬＵＴの値を単に平均化処理しただけでは、疑似輪郭はなくならない。これを、例を挙げて説明する。以下の数式１は、平均化処理に用いる一般的な関数である。
【数１】
0004150994.tif 000002
尚、式中のＬＵＴは、色変換テーブル（ＬＵＴ）の出力値であり、ｃｏｌは、色の種類を示す。
【００２６】
ところで、図１に示すＬＵＴの出力値を、数式１を用いて変換した場合、図２に示すごとくなる。しかるに、このようにＬＵＴの出力値を変換することで、確かに一部の色信号は滑らかに変化するようになるが、格子点２３と２４との間において急激に生じる赤ＲとマゼンタＭのクロスポイントが低い位置にあり、従って疑似輪郭は相変わらず存在することとなる。
【００２７】
これに対し、本発明においては、以下の数式２を用いて、変換処理を行うようにしている。
【数２】
0004150994.tif 000003
尚、式中のＬＵＴは、色変換テーブル（ＬＵＴ）の出力値であり、ｃｏｌは、色の種類を示す。
【００２８】
図１に示すＬＵＴの出力値を、数式２を用いて変換した場合、図３に示すごとくなる。図３から明らかなように、格子点２３と２４との間において、赤Ｒは、前半は比較的穏やかに減少し、後半は急激に減少するようになり、一方、マゼンタＭは、前半は急激に上昇するが、後半は穏やかに上昇するようになる。従って、変化が穏やかな部分同士でクロスさせることにより、クロスポイントの位置を高めることができ、それにより疑似輪郭の発生を効果的に抑制できるのである。
【００２９】
更に、前記複数の色材とは、シアン・マゼンタ・イエロー又は赤・緑・青と、それ以外の色とを含むと好ましい。
【００３０】
又、前記ＬＵＴの色信号値を補間演算する演算手段を含むと好ましい。
【００３１】
第３の本発明の色調整方法は、画像信号に基づき、複数の色材の少なくとも一つの量又は濃度を調整することにより所定の色を生成する色調整方法において、画像信号に対応する色信号値を記憶したＬＵＴを生成し、前記ＬＵＴの色信号値を階調変換することによって階調変換後のＬＵＴを生成し、前記画像信号に対応する色信号値を前記階調変換後のＬＵＴを用いて求め、前記求められた色信号値に対して前記階調変換の逆変換し、前記逆変換された色信号値に基づいて、前記色材の量又は濃度を決定するので、上述した発明と同様に、たとえ複数の色材を用いてグラデーション的に色を変化させる場合でも色が滑らかに移り変わるようにすることができ、疑似輪郭の発生を抑止できる。
【００３２】
更に、前記複数の色材とは、シアン・マゼンタ・イエロー又は赤・緑・青と、それ以外の色とを含むと好ましい。
【００３３】
又、前記階調変換後のＬＵＴにおいて、前記階調変換した値を用いて補間演算すると好ましい。
【００３４】
更に、前記ＬＵＴの色信号値を前記階調変換する際に、前記色信号値を記憶するビットの数を増大させると好ましい。
【００３５】
又、１回の乗算で複数の色に関する処理を行うと好ましい。
【００３６】
第４の本発明の色調整方法は、画像信号に基づき、複数の色材の少なくとも一つの量又は濃度を調整することにより所定の色を生成する色調整方法において、画像信号に対応する色信号値を記憶したＬＵＴを生成し、前記ＬＵＴの色信号値を、階調変換し、前記階調変換された前記色信号値を平均化し、前記平均化された前記色信号値に対して前記階調変換の逆変換処理することによって前記逆変換処理後のＬＵＴを生成し、前記画像信号に対応する色信号値を、前記生成された逆階調変換処理後のＬＵＴを用いて求め、前記求められた色信号値に基づいて、前記色材の量又は濃度を決定するので、上述した発明と同様に、演算処理を効率よく行えるにも関わらず、たとえ複数の色材を用いてグラデーション的に色を変化させる場合でも色が滑らかに移り変わるようにすることができ、疑似輪郭の発生を抑止できる。
【００３７】
更に、前記複数の色材とは、シアン・マゼンタ・イエロー又は赤・緑・青と、それ以外の色とを含むと好ましい。
【００３８】
又、前記ＬＵＴの色信号値を補間演算すると好ましい。
【００３９】
【発明の実施の形態】
以下、本発明を実施の形態を参照して説明する。なお本実施の形態では、本発明の画像処理装置及び色調整方法を適用した特色プリンタについて説明するが、本発明はそれに限られることはない。
【００４０】
図４は、第１の実施の形態にかかる特色プリンタの構成を示すブロック図である。図４において、まず、元になる色信号値を記憶した記憶手段である色変換ＬＵＴ１０１は、階調変換手段１０２に対して、各格子点の色信号値を出力し、かかる出力信号と、色切換信号とを入力した階調変換手段１０２では、例えば３乗の関数（曲線）を用いて色信号値を変換し、変換された色信号値を別な色変換ＬＵＴ１０３に記憶するようになっている。
【００４１】
一方、デジタルスチルカメラやスキャナ（不図示）より得られたＲＧＢからなる画像信号は、上位／下位データ振分手段１０４Ｒ、１０４Ｇ、１０４Ｂに入力され、その出力信号が、色切換信号と共に色変換ＬＵＴ１０３に入力され、補間演算が行われる。また、上位／下位データ振分手段１０４Ｒ、１０４Ｇ、１０４Ｂからの出力信号は、重み発生手段１０５に入力される。
【００４２】
更に、乗算累積手段１０６が、色変換ＬＵＴ１０３からの出力信号と、重み発生手段１０５からの出力信号と、アドレス切換信号とを入力し、例えば特開昭５３−１２３２０１号公報に開示されたような乗算処理を行う。ここでは、アドレス切換信号に応じて、アドレスの切換を行いながら、４回の乗算累積を行っている。かかる乗算累積が行われた値と、逆階調変換手段１０７に入力し、１／３乗を行うことで、目的の色信号値をＫＣＭＹＢＧＲ毎に取得し、これらを決定手段である画像形成手段１０８に入力することで、対応するインク量を調整し所望の色を表現したプリント出力を行うようになっている。階調変換手段１０２と逆階調変換手段１０７とで変換手段を構成する。
【００４３】
尚、ＬＵＴの色信号値を階調変換して平均化処理することができるプリンタの変形例を図７に示す。図７に示す変形例においては、図４に示すプリンタに対して、階調変換手段１０２とＬＵＴ１０３との間に、値の平均化処理を行う平均化手段１１０と、逆階調変換を行う逆階調変換手段１１１を設け、従って図４の逆階調変換手段１０７を省略した点が異なっている。その他の点に付いては、上述した実施の形態と同様であるので説明を省略する。
【００４４】
ところで、上述したハードウェアの構成ではなく、ソフトウェアにより、かかる変換を行うこともできる。しかるに、ソフトウェアで処理する場合、アキュムレータのビット数が多ければ、同時に２色以上の演算を行うことが可能となる。例えば、アキュムレータに３２ビットの容量があれば、上位の１６ビットと、下位の１６ビットを、２色の演算に割り当てることができる。
【００４５】
ＬＵＴの格子点の間隔が８である場合、乗算累積で重み付けされる際の重み総数は、４点補間の場合に、間隔と同じ８となる。したがって、１６ビットを１色に割り当てると、８ビット分余裕があるが、３ビット分は重みのために割り当てなくてはならないため、結局５ビット分の余裕となる。この５ビットを用いることで正確な階調変換処理を行うことができ、例えば、ＬＵＴを３乗のべき乗曲線で階調変換した場合でも、ビット落ちなどを防止することができる。
【００４６】
図５は、３２ビットのアキュムレータを２つ用いて、４色の変換処理を行う場合のビットを示した図である。図５（ａ）に示すように、８ビット×４＝３２ビットのデータを、図５（ｂ）に示すように、各１６ビットずつ、計６４ビットに割り当てて、図５（ｃ）で階調変換処理を行った後、図５（ｄ）で逆変換処理を行い、図５（ｅ）で、再び８ビット×４＝３２ビットのデータに戻している。
【００４７】
ただし、階調変換処理において、図６に示すような８ビットと１１ビット（上述した説明では１３ビットであるが説明のため１１ビットを用いた）の数値をべき乗曲線で変換する場合など、傾きが１未満である場合、逆変換ではデータが失われてしまうこととなる。そこで、本実施の形態では、べき乗曲線で傾きが１未満の場合でも、１以上となるように、部分的に曲線を変更（図６の領域Ａにおいて点線から実線へ変更）するようにし、それによりデータが失われることを防止している。なお、かかる変更されたべき乗曲線は、図４の実施の形態における変換においても用いることができる。
【００４８】
以上述べた階調変換においては、通常のＬＵＴの出力においてＬ*比例または均等色空間比例としているが、プリンタの色表現の仕組みが持つ線形な空間（面積変調タイプのプリンタでは強度比例、濃度変調タイプのプリンタでは濃度比例が、それぞれの線形空間となる）にすることにある。ちなみに、Ｌ*比例に調整されたプリンタ用の色変換ＬＵＴの階調特性を強度比例とするには、３乗の曲線が適しているが、これに限らず２．５乗の曲線であっても良く、プリンタの特性に応じて、実験などから最適な関数を求めることが望ましい。
【００４９】
尚、入力される画像信号としては、デジタルスチルカメラ、ディスプレイ、プリンタなどの実在の目標機器の信号値でも、任意の計算式で決定される仮想の機器の信号値でも、ＸＹＺ、Ｌ*ａ*ｂ*などの測色値またはこれから計算される値でもかまわない。更に、補間演算は、多次元でも１次元でもよく、更には４点以外でもかまわず、５点（ピラミッド式）、６点（プリズム式）、８点補正など各種の補間が採用される。更に、階調曲線としては、べき乗の曲線以外に、対数曲線や、任意の曲線又は直線の組み合わせ、ＬＵＴの変換なども用いることもできる。補間演算の実現は、アキュームレータを備えたＣＰＵや、乗算累積器を備えたＤＳＰ（Ｄｉｇｉｔａｌ  Ｓｉｇｎａｌ  Ｐｒｏｃｅｓｓｏｒ）、ゲートアレイ、ＦＰＧＡ（Ｆｉｅｌｄ  Ｐｒｏｇｒａｍａｂｌｅ  Ｇａｔｅ  Ａｒｒａｙ）などを用いて実現しても良い。又、階調変換した値を補間演算して逆階調変換を行うことも可能である。
【００５０】
このように、本実施の形態によれば、格子間の原色量の変化が大きいプリンタで、演算誤差を減少させることができる。かかる効果は、格子間の原色量の変化が大きくなりがちな特色プリンタで、特に顕著である。格子点を細かくとれないＬＵＴを用いても、補間演算を用いることで、適切な変換処理を行うことができる。更に、変換処理、逆変換処理にてデータが失われることを抑制し、高速演算を可能とすることができる。
【００５１】
【発明の効果】
以上述べたように、本発明によれば、疑似輪郭の発生を効果的に抑制できる画像処理装置及び色調整方法を提供することができる。
【図面の簡単な説明】
【図１】特色プリンタの１例であるＫＹＭＣＶＲＯ（黒、黄、マゼンタ、シアン、バイオレット、赤、オレンジ）の７色インクジェットプリンタにおける、黒（左）から赤（右）にかけてのグラデーション的色の変化における各色インクの量の関係を示した図である。
【図２】図１と同様な図であるが、ＬＵＴの値に平均化処理を施している。
【図３】図１と同様な図であるが、ＬＵＴの値を階調変換して平均化処理を施している。
【図４】第１の実施の形態にかかる特色プリンタの構成を示すブロック図である。
【図５】３２ビットのアキュムレータを２つ用いて、４色の変換処理を行う場合のビットを示した図である。
【図６】一部を変更したべき乗曲線を示す図である。
【図７】変形例にかかる特色プリンタの構成を示すブロック図である。
【符号の説明】
１０１  ＬＵＴ
１０２  階調変換手段
１０３  ＬＵＴ
１０４Ｒ、１０４Ｇ、１０４Ｂ  上位／下位データ振分手段
１０５  重み発生手段
１０６  乗算累積手段
１０７、１１１  逆階調変換手段
１０８  画像形成手段
１１０  平均化手段
【図１】
0004150994.tif 000004
【図２】
0004150994.tif 000005
【図３】
0004150994.tif 000006
【図４】
0004150994.tif 000007
【図５】
0004150994.tif 000008
【図６】
0004150994.tif 000009
【図７】
0004150994.tif 000010